(57)【要約】      （修正有）【課題】従来から設置されている樋門用扉体を利用して、河川の短時間増水による農地・住宅地への河川水の流入を確実に防止する樋門用扉体を提供する。【解決手段】扉体本体３０の下方部位に開口部３１を設けるとともに、当該開口部３１を閉塞できる揺動扉３５を設け、当該揺動扉３５は、その上端部を支持する蝶番３６を介して河川方向に回動可能に配する。また、開口部３１の外周部に突出フレームを設ける。河川の水量が少ない時期に排水路の水嵩が増したときは、揺動扉は河川側に回動して排水を河川に放出でき、河川の水量が増大したときは、揺動扉が閉じて河川水が農地や住宅地に侵入することを防止する。【選択図】図１
0003180933.tif 000002
【実用新案登録請求の範囲】
【請求項１】
駆動装置を介して上下動可能に配した河川の樋門用扉体において、
当該扉体本体の下方部位に開口部を設けるとともに、
当該開口部を閉塞できる揺動扉を設け、
当該揺動扉は、その上端部を支持する蝶番を介して河川方向に回動可能に配することを特徴とする樋門用扉体。
【請求項２】
扉体本体の開口部の縁部に沿って河川側に突出させた突出フレーム部を備え、
該突出フレーム部は、
前記開口部の上端縁部に沿って設けた横棚部と、
当該横棚部の左右両端部から前記開口部の左右の下端縁部に向かって設けた側壁部とからなり、
該側壁部は、河川側への突出寸法を上方から下方に向かって漸次収縮させ、
揺動扉の上端を蝶番を介して前記横棚部に固定してあり、
当該揺動扉が突出フレーム部を閉塞することによって前記扉体本体の開口部を閉じることを可能とした請求項１記載の樋門用扉体。
【考案の詳細な説明】
【技術分野】
【０００１】
本考案は、河川と暗渠水路とを仕切る樋門に係り、特に、駆動装置を介して上下動させる扉体の構造に関する。
【背景技術】
【０００２】
排水路の水は、適宜の水路を介して河川に導く。河川と暗渠水路とを仕切る箇所には樋門扉が設けられる。
【０００３】
図７は、樋門１の構成を例示するものである。２は排水路、３は堤防、４は暗渠、５は河川、６は、樋門１の扉体７を上下動させる駆動装置である。駆動装置６は、エンジン駆動式、モータ駆動式、手動駆動式など各種のものがある。排水路２の水は、暗渠４を介して河川５に導かれる。
【０００４】
図８に示すように、樋門１は、具体的には、例えばコンクリート製の支柱８にガイド９を設け、このガイド９に沿って扉体７を上下動させるようになっている。扉体７の上下動は、図７に示す駆動装置６を介して行う。
【０００５】
河川５の水量が少なく暗渠４の水量が多い場合は、樋門１の扉体７は、図９に示すように上方に引き上げておいて、暗渠４の水Ｗ１が河川５に流れ出るようにしておく。
【０００６】
一方、河川５の水量が増えて、暗渠４に流れ込む可能性がある場合は、図１０に示すように、扉体７を下げて樋門１を閉じ、農地や住宅街への河川水の流入を防止する。
【０００７】
従来、樋門用扉体については、開閉作業を行うときの負担を軽減するために駆動装置に太陽歯車を組み込んだもの（特許文献１）、ソーラーパネル利用のモータを備えるもの（特許文献２）がある。
【０００８】
また近時、油圧駆動式の樋門が開発され、実用化されつつある（特許文献３）。これは、図１１に示すように、コンクリートによって構築した躯体１０の開口（図示せず）に、蝶番１１を介して扉体１２を取り付け、この扉体１２を油圧駆動のピストン１４を介して、河川５に対して揺動開閉（スイング開閉）するものである。
【先行技術文献】
【特許文献】
【０００９】
【特許文献１】特開平１１−００６１３６号
【特許文献２】特開２０００−２９０９７７号
【特許文献３】特開２００５−２００９７３号
【考案の開示】
【考案が解決しようとする課題】
【００１０】
ところで、従来は、河川の洪水時等に速やかにすべての樋門１を閉じることが難しかった。扉体を下降させる作業にも時間がかかるし、作業員の員数にも限界があるからである。
【００１１】
雨が降り続いて徐々に河川水量が増していくという状況であれば、天気予報に基づいて作業員を動員し、すべての樋門１を閉じることは出来る。時間的余裕があるからである。
【００１２】
しかしながら、集中豪雨や津波による海水遡上のように、河川が短時間で増水する場合、従来の樋門用扉体では、農地や住宅地への河川水の流入を防止することは困難である。
【００１３】
また、特許文献３に示したスイング開閉式の扉体は、設置に大きなコストを要する。扉体１２を支持する躯体強度も十分な安全性を見込む必要があり、上下駆動式の樋門構造とは異なるからである。
【００１４】
このため、スイング開閉式の樋門を設置する場合は、従来あった上下駆動式（昇降駆動式）の扉体まわりの構造物を取り壊し、専用の頑丈な躯体を構築して、扉体１２およびその開閉装置を設置している。
【００１５】
しかし、河川を管理する国や地方自治体の財政が逼迫している今日的な財政事情の下で、樋門用扉体をすべてスイング開閉式のものに作り替えてゆくのは非常に困難である。
【００１６】
そこで、本考案の目的は、従来設置されている上下駆動式（昇降動式）の扉体を利用し、河川の短時間増水による農地・住宅地への河川水の流入を確実に防止可能とすることにある。
【課題を解決するための手段】
【００１７】
前記目的を達成するため、本考案に係る樋門用扉体は、駆動装置を介して上下動可能に配した河川の樋門用扉体を技術的前提として、当該扉体本体の下方部位に開口部を設けるとともに、当該開口部を閉塞できる揺動扉を設け、当該揺動扉は、その上端部を支持する蝶番を介して河川方向に回動可能に配する（請求項１）。
【００１８】
かかる構成によれば、扉体本体に開口と、この開口を閉じる揺動扉を設けてあり、上端を蝶番によって軸支させた揺動扉は河川側に向かって回動可能としてあるため、河川の水量が少ない時期に排水路の水嵩が増したときは、揺動扉は河川側に回動して排水を河川に放出でき、河川の水量が増大したときは、揺動扉が閉じて河川水が農地や住宅地に侵入することを防止する。このため通常、扉体本体は常時一番下まで下げた状態で良い。河川増水があったときに人力で扉体本体を閉じる必要がなく、河川が短時間で増水しても農地や住宅地への水の侵入を確実に防止できる。扉体本体は、駆動装置を介した上下駆動によって任意の開閉操作が可能であるが、通常、扉体本体を開ける必要はない。
【００１９】
請求項２は、扉体本体の開口部の縁部に沿って河川側に突出させた突出フレーム部を備え、該突出フレーム部は、開口部の上端縁部に沿って設けた横棚部と、横棚部の左右両端部から開口部の左右の下端縁部に向かって設けた側壁部とからなり、該側壁部は、河川側への突出寸法を上方から下方に向かって漸次収縮させ、揺動扉の上端を蝶番を介して前記横棚部に固定してあり、当該揺動扉が突出フレーム部を閉塞することによって前記扉体本体の開口部を閉じることを可能としたものである。
【００２０】
突出フレーム部を設けて揺動扉の上端を蝶番によって軸支することにより、河川水量が少ない場合は、揺動扉は鉛直姿勢をとる。このため、河川水量が少ない場合は、揺動扉と突出フレーム部との間に隙間が生じ、排水は少量であっても河川に自由に流れ出る。一方、河川水量が増大したときは、揺動扉は河川水の水圧によって押され、突出フレーム部を閉じる方向に回動する。この場合も、扉体本体は一番下まで下げておいて良いので、河川水が増大したときに駆動装置を介して扉体を閉じる作業を行う必要がない。蝶番を介して軸支させた揺動扉が河川の増水に伴って自動的に扉体本体の開口を閉じるからである。
【考案の効果】
【００２１】
本考案に係る樋門用扉体によれば、従来設置されている上下駆動式の扉体を利用して、河川の短時間増水による農地・住宅地への河川水の流入を確実に防止できる。
【図面の簡単な説明】
【００２２】
【図１】第一の実施形態に係る樋門用扉体を例示する分解斜視図である。
【図２】図１に示す樋門用扉体の第一の機能を示す断面図である。
【図３】図１に示す樋門用扉体の第二の機能を示す断面図である。
【図４】第二の実施形態に係る樋門用扉体を例示する分解斜視図である。
【図５】図４に示す樋門用扉体の第一の機能を示す断面図である。
【図６】図４に示す樋門用扉体の第二の機能を示す断面図である。
【図７】従来の樋門用扉体の一般構造を示す断面図である。
【図８】従来の樋門用扉体の扉体を示す斜視図である。
【図９】従来の樋門用扉体の第一の機能を示す断面図である。
【図１０】従来の樋門用扉体の第二の機能を示す断面図である。
【図１１】従来提案された樋門を例示する図である。
【考案を実施するための形態】
【００２３】
図１は、本考案に係る樋門用扉体の実施形態を示すものである。この樋門は、従来からある樋門用扉体をそのまま利用するもので、扉体本体３０の下方部位に開口部３１を設けるとともに、この開口部３１を閉塞できる揺動扉３５を配するものである。揺動扉３５は、その上端部を支持する蝶番３６を介して河川方向に回動可能に配する。
【００２４】
扉体本体３０は、従来の樋門用扉体と同様、例えばコンクリート製の支柱８にガイド９を設け、このガイド９に沿って扉体本体３０を上下動させる。扉体本体３０の上下動は、例えば、発動機駆動式、モータ駆動式、油圧駆動式、手動駆動式など、各種の駆動方式を採用できる。
【００２５】
揺動扉３５は、開口部３１を完全に閉じることが出来るよう、当該開口部３１より若干大きな相似形としておく。揺動扉３５の裏面（暗渠４側の面）の外周には、開口部３１の外周部位と接触した時における水密を高めるためのシール材を配しておくことが望ましい。このシール材は、例えばシリコン樹脂等の弾性樹脂剤を利用することが出来る。
【００２６】
かかる構成によれば、図２に示すように、扉体本体３０を常時閉じた状態でも、河川５の水が少ない場合や、暗渠から流れ出る水Ｗ１が多い場合には、水圧によって揺動扉３５が河川側に開き、排水は河川５に流れ出る。
【００２７】
一方、図３に示すように、河川５の水が増大したときは、河川５の水圧によって揺動扉３５が暗渠４方向へ動いて、開口３１を閉じる。扉体本体３０は常時閉塞してあるので、集中豪雨や津波の遡上のように、短時間で河川水が増大しても、蝶番３６を介して上端を軸支された揺動扉３５が自動的に開口３１を閉じるから、作業員の操作による扉体本体３０の閉鎖駆動（下降駆動）は不要である。高額システムも要せず、従来の樋門を利用しつつ、低コストで高性能の樋門機能を実現できる。
【００２８】
図４は、本考案に係る樋門用扉体の第二の実施形態を示すものである。この樋門用扉体は、扉体本体３０の開口部３１の縁部に沿って河川側に突出させた突出フレーム部４０を備える。該突出フレーム部４０は、開口部３１の上端縁部に沿って設けた横棚部４１と、横棚部４１の左右両端部から開口部３１の左右の下端縁部に向かって設けた側壁部４３、４４とからなる。該側壁部４３、４４は、河川側への突出寸法を上方から下方に向かって漸次収縮させてある。
【００２９】
また、揺動扉３５の上端を蝶番３６を介して前記横棚部４１に固定し、当該揺動扉３５が突出フレーム部４０を閉塞することによって開口部３１を閉じることを可能としたものである。
【００３０】
突出フレーム部４０は、例えば金属板、樹脂板によって構成できる。この突出フレーム部４０は、開口部３１の縁端まわりの扉体本体３０に溶接やビス止め等によって配するもので、河川側の面に設ける。横棚部４１、側壁部４３、４４の突出側の端部表面は、揺動扉３５の裏面外周部と密着して河川水の侵入を防ぐことが出来るよう平滑に成形することが望ましい。
【００３１】
かかる構成によれば、図５に示すように、扉体本体３０を常時閉じた状態で、揺動扉３５は垂直に垂れ下がる姿勢をとる。突出フレーム部４０の側壁部４３、４４は、河川側への突出寸法を上方から下方に向かって漸次収縮させてあるから、河川水が少ない場合は、垂直に垂れ下がっている揺動扉３５と側壁部４３、４４との間には隙間Ｓが生じて、暗渠４の水（排水）は当該隙間Ｓを通って河川５に流れ出る。
【００３２】
一方、図６に示すように、河川５の水が増大したときは、河川５の水圧によって揺動扉３５が暗渠４方向へ回動して、突出フレーム部４０を閉鎖し、開口部３１を閉じる。
【００３３】
扉体本体３０は常時閉塞しておいて良いから、集中豪雨や津波の遡上のように、短時間で河川水が増大しても、蝶番３６を介して上端を軸支された揺動扉３５が自動的に開口部３１を閉じる。このため、作業員による扉体本体３０の閉鎖作業は不要とすることが出来る。
【００３４】
本考案に係る樋門用扉体は、前記実施形態のものに限定されない。前記実施形態では扉体本体３０の下方部位に一つの開口部３１を設ける旨説明したが、開口部３１の数は左右方向に並設しつつ二つ以上設けても良い。扉体本体３０が大きな場合もあるからである。また開口部３１の形は矩形状のものを例示したが、円形、楕円形、適宜の多角形であっても良い。下端縁部を解放（切欠）させてもかまわない。排水の排水機能と河川水の遮断機能を発揮できる形状であれば良いからである。開口部３１の形状に応じて揺動扉３５、突出フレーム部４０はその形状を適合させることが望ましい。
【符号の説明】
【００３５】
４  暗渠
５  河川
８  支柱
９  ガイド
３０  扉体本体
３１  開口部
３５  揺動扉
３６  蝶番
４０  突出フレーム部
４３、４４  側壁部
Ｗ１  暗渠の水
【図１】
0003180933.tif 000003
【図２】
0003180933.tif 000004
【図３】
0003180933.tif 000005
【図４】
0003180933.tif 000006
【図５】
0003180933.tif 000007
【図６】
0003180933.tif 000008
【図７】
0003180933.tif 000009
【図８】
0003180933.tif 000010
【図９】
0003180933.tif 000011
【図１０】
0003180933.tif 000012
【図１１】
0003180933.tif 000013